(57)【要約】      （修正有）【課題】パンツのフィット感を維持したまま、陰茎および陰嚢の固定度合いを自由に調整でき、運動状況に対応して陰茎と陰嚢を体の中心に固定することを目的とし、姿勢良く歩行でき、走行時、運動時には体のバランスが保たれ、より早く、より激しく、より美しく走れることが期待できる男性用スポーツパンツを提供する。また発汗や擦れ、蒸れ等による湿疹やカブレ、陰金田虫等の不快な症状を防止する。【解決手段】男性用パンツウエストサイズを調整する機構と、陰茎および陰嚢の固定度合いを調整する機構とを別々に備え、パンツ本体の股間部にハンモック状の陰茎および陰嚢を収納する凹部を有し、該凹部の位置を上下に調整することにより、陰茎および陰嚢の体の中心線における位置並びに固定度合いを調節でき、内股と直接触れる事が無くなり、発汗や擦れ、蒸れ等による湿疹やカブレ、陰金田虫等の発生を回避出来る。【選択図】図４
2010047888.tif 000002
【特許請求の範囲】
【請求項１】
男性下半身用パンツのパンツ本体１の股間部にハンモック状の陰茎および陰嚢を収納する凹部２を有し、該ハンモック状の凹部２の位置を上下に調節可能な構造を有する男性下半身用パンツ類であって、該男性下半身用パンツ類の装着時に陰茎および陰嚢をハンモック状の凹部２に収納し、陰茎および陰嚢の体の中心線における位置を上下調節することにより、陰茎および陰嚢を支持することを特徴とする男性下半身用パンツ類。
【請求項２】
凹部２に陰茎および陰嚢を収納した後に、凹部２の位置をマジックテープ機構により上下調整することで陰茎および陰嚢の位置を体の中心線上で移動させることができることを特徴とする請求項１に記載の男性下半身用パンツ類。
【請求項３】
男性下半身用パンツのパンツ本体１のウエスト部にウエストを自由に調整できる調整部３、４を有し、この調整部３、４に陰茎および陰嚢を収納する凹部２の一部をマジックテープで留めることにより、該凹部２の位置を自由に上下に調整することができることを特徴とする請求項１から請求項２いずれかに記載の男性下半身用パンツ類。
【請求項４】
男性下半身用パンツのパンツ本体１および凹部２の素材が伸縮性のあるものからなり、該凹部２を上方向に強く引き上げ固定する事により、サポーターと同機能を発揮することができ、特にスポーツ時に使用することを目的とすることを特徴とする請求項１から請求項３いずれかに記載の男性下半身用パンツ類。
【請求項５】
男性下半身用パンツのパンツ本体１に縫合する凹部２をハンモック形状にする事により、陰茎および陰嚢が直接内股部分に触れる事が無く、又陰茎および陰嚢を収納する凹部２の素材の一部にメッシュ素材を使用する事により通気性に優れ、陰茎および陰嚢ならびに内股部分の衛生の保持を目的とすることを特徴とする請求項１から請求項４いずれかに記載の男性下半身用パンツ類。
【発明の詳細な説明】
【技術分野】
【０００１】本発明は、パンツサイズと陰茎および陰嚢のサイズの両方を考慮した男性下半身用パンツに関し、より具体的には、ウエスト調整機構を備え、かつ、男性の陰茎および陰嚢の位置を状況に応じ、自由に体の中心線上にしっかりと固定することができる機構も備え、歩行時は勿論、激しい運動時並びに走行時に陰茎および陰嚢の上下左右のぶれを防ぐことにより、体の重心のズレを抑制することができる男性用のスポーツパンツに関するものであり、さらにパンツ本体にハンモック形状の陰茎および陰嚢を収納する凹部を縫合することにより、陰茎および陰嚢が直接内股に触れる事が無い為、発汗や擦れ、むれ等不衛生状態による内股のカブレや発疹、陰金田虫等の発生を防止することができる男性用の衛生パンツに関するものである。
【背景技術】
【０００２】従来、男性がスポーツ時に着用するパンツにおいては男性の陰茎および陰嚢を固定するためにサポーター機能の付いたパンツが使用されることが多い。しかしながらこれらサポーター機能は単に男性の陰茎および陰嚢を弾圧し固定しているため、一つのパンツで陰茎および陰嚢の上下の位置を調整することが困難であった。また、パンツのサイズは通常ウエストを基準として選定されているが、男性の陰茎および陰嚢のサイズはかならずしもウエストのサイズに比例するわけではないので、これら既製のサポーター機能付きのパンツではパンツのサイズに合わせると陰茎および陰嚢の固定がゆるかったり、きつかったりすることが多々あった。また、男性の陰茎のサイズは環境などの影響を受け変化することもあり、状況により陰茎および陰嚢の固定状態が安定しないという問題があった。【０００３】また、特許文献１には運動時に着用するのに最適な男性用下着に関する発明が開示されているが、これは下着本体の股間部にある略袋状の陰嚢収納部と下着本体の前面部にある穴で陰茎および陰嚢の固定するものであって、固定の状態を調整できる機能は付いていない。またパンツのサイズと陰茎および陰嚢のサイズの関係までは考慮されていない。
【特許文献１】特開２００５−２３４８６
【発明の開示】
【発明が解決しようとする課題】
【０００４】本発明は従来考慮されていなかったパンツサイズと陰茎および陰嚢のサイズの両方を考慮し、パンツのフィット感を維持したまま、陰茎および陰嚢の固定度合いを自由に調整でき、環境や運動状況に対応させながら陰茎および陰嚢を体の中心にしっかり固定することを目的とするものである。さらに陰茎および陰嚢を体の中心線上に固定することにより、歩行時や走行時、運動時に体の重心のブレを防ぎ、歩行時には姿勢良く歩行することができ、また走行時、運動時には体のバランスが保たれることにより、より激しく、より美しく、より早く走れることが期待できる男性用スポーツパンツを提供することを目的とするものである。また歩行時や走行時、運動時における陰茎および陰嚢、ならびに内股部分の多量の発汗や擦れ、蒸れ等による湿疹やカブレ、陰金田虫等の不快な症状を防止する事を併せて解決しようとするものである。
【課題を解決するための手段】
【０００５】本発明は上記課題を解決するものであり、請求項１に係る発明は、男性下半身用パンツのパンツ本体の股間部にハンモック状の陰茎および陰嚢を収納する凹部を有し、該ハンモック状の凹部の位置を上下に調節可能な構造を有する男性下半身用パンツ類であって、該男性下半身用パンツ類の装着時に陰茎および陰嚢をハンモック状の凹部に収納し、陰茎および陰嚢の体の中心線における位置を上下調節することにより、陰茎および陰嚢を支持することを特徴とする男性下半身用パンツ類であり、これにより歩行時や走行時、運動時の体の重心のブレを抑制することができる。また、陰茎および陰嚢を収納する凹分をハンモック形状にすることで陰茎および陰嚢を弾圧するのではなく、包み込む機構にすることで圧迫感なく陰茎および陰嚢を体の中心線上に固定できる。さらに、陰茎および陰嚢を体の中心線上に固定できることにより、歩行時や走行時、運動時の体の重心のズレを抑えることができ、歩行時には姿勢良く歩行することができ、また走行時、運動時には体のバランスが保たれることにより、より早く、より激しく、より美しく、走れることが期待できる。ここで男性下半身用パンツ類とは、男性用の下半身用肌着、水泳パンツ、海水パンツ、陸上競技、球技その他各種スポーツパンツ、介護用パンツ、衛生用パンツ、更にはオムツを含むものであり、パンツの足を通す丈の長さは特に限定されるものではなく、例えばブリーフ、トランクス、ボクサーパンツ、スパッツ、七分丈、ロング丈、タイツ等がある。【０００６】更に請求項２に係る発明は、凹部に陰茎および陰嚢を収納した後に、凹部の位置をマジックテープ機構により上下調整することで陰茎および陰嚢の位置を体の中心線上で移動させることができるものである。マジックテープ機構にすることにより、陰茎および陰嚢の位置を地面に対して垂直に保ったまま上下に移動でき、陰茎及び陰嚢の左右のブレを抑制できる。また、マジックテープ機構にすることで上下方向の微調整がしやすく、かつ、操作も簡便になる。【０００７】また、請求項３に係る発明は、男性下半身用パンツのパンツ本体のウエスト部にウエスト幅を調整する調整部を有し、この調整部に凹部の一部をマジックテープで留めることにより、該凹部の位置を上下に微調整することができるものである。ウエスト調整機構と凹部の上下調整機構の両方を備えることにより、凹部の大きさを数種類揃えることにより、パンツのサイズと陰茎および陰嚢のサイズの両方に合った男性下半身用パンツを提供でき、個人の体型による差や環境変化による陰茎および陰嚢のサイズの変化にも即座に対応できるものである。【０００８】また、請求項４に係る発明は、男性下半身用パンツのパンツ本体および凹部の素材が伸縮性のあるものからなり、特にスポーツ時に着用することを目的とするとするものである。上述したように、本発明は陰茎および陰嚢を体の中心線上に固定できるため、歩行時や走行時、運動時に陰茎および陰嚢の左右上下のブレを防ぎ、体の重心のズレを抑えることができるため、特にスポーツ愛好者にとって有益である。そして、パンツ本体および陰茎および陰嚢を収納する凹部の素材を伸縮性のあるものにすることにより、よりスポーツ環境にあった男性下半身用のパンツ類になるものである。また、本発明を装着することで陰茎および陰嚢が体の中心線上に固定されることより、運動競技時の見た目が綺麗に見えるという利点がある。【０００９】また、請求項５に係る発明は、男性下半身用パンツのパンツ本体に縫合する凹部をハンモック形状にする事により、陰茎および陰嚢が直接内股部分に触れる事が無く、陰茎および陰嚢、ならびに内股や股間の衛生状態の保持ができるものである。さらに、パンツ本体の下限部切込みを少し上げる事により陰嚢をパンツ本体の外に出し、陰茎および陰嚢をハンモック形状の凹部に収納し、その凹部を上方向へ移動させることができる機構を備えることで、陰茎および陰嚢が太腿の皮膚と直接触れることがなくなるため、発熱や発汗によるムレや擦れによる陰茎および陰嚢、ならびに内股や股間の炎症やカブレ、陰金田虫などの発病を防ぐことが可能となり衛生保持に適したものである。さらにハンモック状の凹部の一部にメッシュ素材を使用することで、より衛生環境にあった男性下半身用のパンツ類になるものである。
【発明の効果】
【００１０】本発明にかかる男性下半身用パンツを装着することにより、陰茎および陰嚢をハンモック形状の収納部分に収納することができ、この収納部分を上方向へ引き上げることにより、陰茎および陰嚢が体の中心線上にしっかり固定できるため、陰茎および陰嚢の揺れが抑制され体のバランスが保たれる効果が得られる。その結果、歩行時には、より姿勢良く歩行することができ、また走行時、運動時には、より早く、より激しく、より美しく、走れることが期待できる効果を有する。さらに陰茎および陰嚢を収納する部分をハンモック形状にすることで陰茎および陰嚢を同時に内股皮膚から離すことができ、内股皮膚との接触による湿疹やカブレ、陰金田虫等の不快な症状を防止する効果が得られる。また、収納部分の素材を通気性のあるものにすることにより、歩行時や走行時、運動時における内股部分の多量の発汗や蒸れ等による湿疹やカブレ、陰金田虫等の不快な症状も併せて防止できる効果を有する。さらにウエストサイズの調整と陰茎および陰嚢の固定度の調整機構を別にすることで従来考慮されていなかったパンツサイズと陰茎および陰嚢のサイズの両方を考慮し、パンツのフィット感を維持したまま、陰茎および陰嚢の固定度を自由に調整できる効果を有する。またマジックテープ機構を利用することで誰でも簡単に本発明にかかる男性下半身用パンツを装着することができ、また装着させることもでき、陰茎および陰嚢の固定度の微調整も容易となる効果を合わせもつことができる。
【発明を実施するための最良の形態】
【００１１】本発明にかかる男性下半身用のパンツの基本的な実施の形態を図１に示す。まず、図１は本発明にかかる男性下半身用のパンツのスポーツタイプのものであり、パンツ本体１の正面図を示す図である。パンツ本体１にはその上部外周辺部には伸縮性のあるゴムバンド５を有しており装着時の胴回りの密着を図るとともに、ウエストサイズを自由に調整できるようにマジックテープ部３、４を有している。マジックテープ部３は陰茎および陰嚢を収納するハンモック形状の凹部２の一部を留めるために両面がマジックテープになっており、マジックテープ部４はマジックテープ部３を留めるために片側がマジックテープになっている。また、左右の足を挿入する開口部６もそれぞれ有している。さらに本体１の股間部分前面には陰茎および陰嚢を収納するハンモック形状の凹部２を縫合するための７〜１１に沿った縫合領域（縫いしろ）を有する。この縫合領域（縫いしろ）の一部で陰嚢が存在するところにあたる部分９は本体１の股間最下部１２よりもやや上に位置させるもので、やや上にすることで陰嚢を本体１の外に出すことができ、陰嚢が内股の皮膚と直接接することがなくなる。【００１２】装着時の胴回りの密着を図る部分５は伸縮性のあるゴム素材を使用したものが適しているが、これに限定されるものではなく、ゴム素材以外のものでもパンツ本体１が胴に密着するものであればよい。また、陰茎および陰嚢を収納するハンモック形状の凹部２の一部を留める部分３はマジックテープ機構にすることが微調整や簡便さの面で好ましいが、これに限定されるものではなく、凹部２の一部を留められる機構のものならボタン形式でもよい。ウエストサイズを自由に調整できる部分４に関してもマジックテープ機構にすることが微調整や簡便さの面で好ましいが、これに限定されるものではなく、ウエストサイズを自由に調整できるものであればボタン形式でもよい。また本体１の股間最下部１２と部分９との距離は陰嚢と内股の皮膚との接触を避けるため３から５ｃｍが適している。【００１３】次に、図２は本発明にかかるパンツの陰茎および陰嚢を収納するハンモック形状の凹部２の斜図を示す図である。凹部２にはパンツ本体１における凹部２の上下位置を自由に調整するための留部１３〜１５を有しており、この留部１３〜１５をパンツ本体１のマジックテープ部３の内側から留めることで凹部２のパンツ本体１における上下位置を自由に調整できるものである。留部１３〜１５はパンツ本体１のマジックテープ部３に留めるためにマジックテープ素材を使用することが好ましいが、これに限定されるものではなく、留められる機構のものならボタン形式でもよい。更に、パンツ本体１の７〜１１に沿った縫合領域（縫いしろ）に凹部２を縫合するための縫いしろである領域７′〜１１′を有している。【００１４】凹部２の素材は伸縮性のあるものにすることにより、歩行時や走行時、運動時の陰茎および陰嚢の揺れによる振動を吸収することができるため下半身の左右上下のブレを防ぐにとができ、体の重心のズレを抑えることができるため、特にスポーツ愛好者にとって有益なものとなる。また凹部２の前面には小便用の小窓１６を設けてもよく、凹部２の一部にはメッシュ生地１７を用いてもよい。メッシュ生地にすることで陰茎および陰嚢部と外部との通気性が向上し、発熱や発汗によるムレや擦れによる陰茎および陰嚢、ならびに内股や股間の炎症やカブレ、陰金田虫などの発病を防ぐことが可能となり衛生保持に適したものとなる。【００１５】図３は本発明にかかる男性下半身用のパンツの一般的な使用形態の一例を示す。パンツ本体１の両面マジックテープ部３と片面マジックテープ部４をしっかり留め、個人のウエストサイズ合わせる。次に、ハンモック形状の凹部２に男性の陰茎および陰嚢部を収納し、凹部２を上方向へ持ち上げ、凹部２の留部１４をマジックテープ部４の内側から廻し上げ、留部１３から１５をマジックテープ部３に留める。以上のような操作により、男性の陰茎および陰嚢がハンモック形状の凹部２によって吊り上げられ、体の中心線上に固定され、更に内股の皮膚と直接触れることがなくなる。また、ウエストサイズの調整と陰茎および陰嚢の固定度調整をそれぞれ別機構として有しているので、ウエストサイズと陰茎および陰嚢のサイズの両方を考慮でき、パンツのフィット感を維持したまま、陰茎および陰嚢の固定度合いを自由に調整でき、体型に対応させながら陰茎および陰嚢を体の中心にしっかり固定することができる。【００１６】図４は本発明にかかる男性下半身用のパンツのスポーツ競技時における使用形態の一例を示す。図３に示した状態から凹部２をさらに上に引き上げ、凹部２の留部１４をマジックテープ部４の内側から廻し上げ、留部１３と１５でマジックテープ部３にしっかり留める。留部１４は前へ垂れないようにマジックテープ部３と４を留めることでできたベルト状の奥へ押し込む。以上のような操作により、男性の陰茎および陰嚢がハンモック形状の凹部２によって更に吊り上げられ、体の中心線上により強固に固定される。これにより運動時などの激しい陰茎および陰嚢の揺れが抑制され、体の中心線上に強固に固定できる結果、歩行時には姿勢良く歩行することができ、また走行時、運動時には陰茎および陰嚢の揺れが抑制されることから体の重心のバランスが保たれることにより、より早く、より激しく、より美しく走れることが期待できる。【００１７】以上のように、ウエストサイズの調整と陰茎および陰嚢の固定度の調整が別機構になっていることと、陰茎および陰嚢の固定度の調整が１つの機構により自由に調整できるため、従来考慮されていなかったパンツサイズと陰茎および陰嚢のサイズの両方を考慮し、パンツのフィット感を維持したまま、陰茎および陰嚢の固定度合いを自由に調整でき、さらに、様々な状況に対応させながら陰茎および陰嚢を体の中心にしっかり固定することもできるため、歩行時にはより姿勢良く歩行することができ、また走行時、運動時にはより早く、より激しく、より美しく走れることが期待できるスポーツパンツになる。また、陰茎および陰嚢が同時に吊り上げられることにより内股部分の皮膚との接触が避けられることにより、歩行時や走行時、運動時における陰茎および陰嚢、ならびに内股部分の多量の発汗や擦れ、蒸れ等による湿疹やカブレ、陰金田虫等の不快な症状を防止する事を併せて解決できるものでる。
【図面の簡単な説明】
【００１８】
【図１】本発明にかかる男性下半身用のパンツの一実施の形態を示す図
【図２】本発明にかかる陰茎および陰嚢を収納する部分の一実施の形態を示す図
【図３】本発明にかかる男性下半身用のパンツの使用形態の一例（一般時）
【図４】本発明にかかる男性下半身用のパンツの使用形態の一例（スポーツ時、固定度強）
【符号の説明】
【００１９】１  男性下半身用のパンツ本体
２  男性の陰茎および陰嚢を収納するハンモック形状の凹部
３  凹部の上下位置を調整する両面マジックテープ部
４  ウエストのサイズを自由に調整する片面マジックテープ部
５  ゴムバンド部
６  足挿入開口部
７〜１１  陰茎および陰嚢を収納する凹部２との縫合領域（縫いしろ）
７′〜１１′  パンツ本体１との縫合領域（縫いしろ）
１２  パンツ本体の股間下部
１３  陰茎および陰嚢を収納する部分の上下位置調整部
１４  陰茎および陰嚢を収納する部分の上下位置調整部
１５  陰茎および陰嚢を収納する部分の上下位置調整部
１６  小便用小窓
１７  通気部
【図１】
2010047888.tif 000003
【図２】
2010047888.tif 000004
【図３】
2010047888.tif 000005
【図４】
2010047888.tif 000006